(57)【要約】【課題】育児者について育児項目の管理を支援することができる情報処理装置及び情報処理システムを提供する。【解決手段】サーバ１は、乳幼児及び該乳幼児を養育する育児者に対して測定された生体情報、乳幼児及び育児者の位置に関する情報、動作情報及び時間情報を受信する通信部１３と、通信部により受信された情報に基づいて、育児者により実施された育児項目を判定する制御部１１と、制御部１１により判定された育児項目、及び該育児項目の実施に係る時間情報を関連付けて記憶する大容量記憶装置１５とを備える。【選択図】図５
2018061769.tif 000002
【特許請求の範囲】
【請求項１】
乳幼児及び該乳幼児を養育する育児者に対して測定された生体情報、前記乳幼児及び育児者の位置に関する情報、動作情報及び時間情報を受信する受信部と、
該受信部により受信された情報に基づいて、前記育児者により実施された育児項目を判定する項目判定部と、
該項目判定部により判定された育児項目、及び該育児項目の実施に係る時間情報を関連付けて記憶する記憶部と
を備えることを特徴とする情報処理装置。
【請求項２】
所定の期間内に前記記憶部に記憶されている育児項目ごとの時間情報の変化に基づいて、前記所定の期間内におけるストレス発生の有無を判定するストレス判定部と、
前記ストレス判定部によりストレス発生有と判定された場合に、ストレス発生に係る報知を行う報知部と
を備えることを特徴とする請求項１に記載の情報処理装置。
【請求項３】
前記記憶部に記憶されている情報に基づいて画面情報を生成する生成部と、
前記生成部により生成された画面情報を出力する出力部と
を備えることを特徴とする請求項１に記載の情報処理装置。
【請求項４】
前記育児項目は授乳を含み、
前記項目判定部は、乳幼児及び育児者の生体情報及び位置に関する情報と、乳幼児の動作情報とに基づいて授乳が実施されたか否かを判定することを特徴とする請求項１から請求項３のいずれか一つに記載の情報処理装置。
【請求項５】
前記受信部により受信された情報に基づいて各回の授乳の時間を算出する算出部と、
前記算出部により算出された授乳の時間に基づいて授乳量を推定する推定部と、
前記推定部により推定された授乳量に基づいて画面情報を作成する作成部と
を備えることを特徴とする請求項４に記載の情報処理装置。
【請求項６】
現時点から前記記憶部に記憶されている直近の授乳までの時間が所定の時間を超えたか否かを判定する授乳判定部と、
該授乳判定部により直近の授乳までの時間が所定の時間を超えたと判定された場合に通知を行う通知部と
を備えることを特徴とする請求項４又は５に記載の情報処理装置。
【請求項７】
前記育児項目は、睡眠を含み、
前記項目判定部は、乳幼児及び育児者の生体情報と、乳幼児の動作情報とに基づいて、乳幼児が睡眠状態であるか否かを判定することを特徴とする請求項１から請求項６のいずれか一つに記載の情報処理装置。
【請求項８】
乳幼児及び該乳幼児を養育する育児者の生体情報、前記乳幼児及び育児者の位置に関する情報、動作情報及び時間情報を測定する測定装置と、
該測定装置と通信可能な請求項１から請求項７のいずれか１つに記載の情報処理装置と
を備えることを特徴とする情報処理システム。
【請求項９】
乳幼児及び該乳幼児を養育する育児者夫々の端末装置から、該乳幼児及び育児者に対して測定された生体情報、前記乳幼児及び育児者の位置に関する情報、動作情報及び時間情報を取得し、
取得された情報をサーバへ出力し、
前記サーバにより生体情報、位置に関する情報、及び動作情報に基づいて判定された育児項目と、該育児項目の実施に係る時間情報とを示す画面情報を取得し、
取得された画面情報を表示装置へ出力する
処理をコンピュータに実行させることを特徴とするプログラム。
【請求項１０】
前記サーバにより所定の期間内における育児項目ごとの時間情報の変化に基づいて判定されたストレス発生に係る情報を取得し、
ストレス発生に係る報知を行う
処理をコンピュータに実行させることを特徴とする請求項９に記載のプログラム。
【発明の詳細な説明】
【技術分野】
【０００１】
本発明は、情報処理装置、情報処理システム及びプログラムに関する。
【背景技術】
【０００２】
ＩＴ技術を用いて、ユーザの健康管理を行う技術がある。例えば特許文献１では、ユーザの健康状態に関するデータを取得し、当該データを初期健康状態目標と比較して、ユーザ個人の健康及びウェルネス状態を管理する健康及びウェルネス管理システムが開示されている。また、特許文献２では、ユーザの定期的なバイタルデータ、問診時の回答、問診時の音声データ等に基づき、ユーザの現状に適したアドバイスを提示すると共に、ユーザの健康状態について問題点があるデータ項目等を抽出する健康管理支援装置等が開示されている。
【先行技術文献】
【特許文献】
【０００３】
【特許文献１】特開２０１２−５９２６４号公報
【特許文献２】特開２００５−１１３２９号公報
【発明の概要】
【発明が解決しようとする課題】
【０００４】
しかしながら、特許文献１及び２では生活習慣病等を前提としており、育児を行う育児者により実施された育児項目の管理については開示されていない。
【０００５】
本発明は斯かる事情によりなされたものであって、その目的とするところは、乳幼児を養育する育児者について、育児項目の管理を支援することができる情報処理装置、情報処理システム及びプログラムを提供することにある。
【課題を解決するための手段】
【０００６】
本発明に係る情報処理装置は、乳幼児及び該乳幼児を養育する育児者に対して測定された生体情報、前記乳幼児及び育児者の位置に関する情報、動作情報及び時間情報を受信する受信部と、該受信部により受信された情報に基づいて、前記育児者により実施された育児項目を判定する項目判定部と、該項目判定部により判定された育児項目、及び該育児項目の実施に係る時間情報を関連付けて記憶する記憶部とを備えることを特徴とする。
【０００７】
本発明に係る情報処理装置は、所定の期間内に前記記憶部に記憶されている育児項目ごとの時間情報の変化に基づいて、前記所定の期間内におけるストレス発生の有無を判定するストレス判定部と、前記ストレス判定部によりストレス発生有と判定された場合に、ストレス発生に係る報知を行う報知部とを備えることを特徴とする。
【０００８】
本発明に係る情報処理装置は、前記記憶部に記憶されている情報に基づいて画面情報を生成する生成部と、前記生成部により生成された画面情報を出力する出力部とを備えることを特徴とする。
【０００９】
本発明に係る情報処理装置は、前記育児項目は授乳を含み、前記項目判定部は、乳幼児及び育児者の生体情報及び位置に関する情報と、乳幼児の動作情報とに基づいて授乳が実施されたか否かを判定することを特徴とする。
【００１０】
本発明に係る情報処理装置は、前記受信部により受信された情報に基づいて各回の授乳の時間を算出する算出部と、前記算出部により算出された授乳の時間に基づいて授乳量を推定する推定部と、前記推定部により推定された授乳量に基づいて画面情報を作成する作成部とを備えることを特徴とする。
【００１１】
本発明に係る情報処理装置は、現時点から前記記憶部に記憶されている直近の授乳までの時間が所定の時間を超えたか否かを判定する授乳判定部と、該授乳判定部により直近の授乳までの時間が所定の時間を超えたと判定された場合に通知を行う通知部とを備えることを特徴とする。
【００１２】
本発明に係る情報処理装置は、前記育児項目は、睡眠を含み、前記項目判定部は、乳幼児及び育児者の生体情報と、乳幼児の動作情報とに基づいて、乳幼児が睡眠状態であるか否かを判定することを特徴とする。
【００１３】
本発明に係る情報処理システムは、乳幼児及び該乳幼児を養育する育児者の生体情報、前記乳幼児及び育児者の位置に関する情報、動作情報及び時間情報を測定する測定装置と、該測定装置と通信可能な前記情報処理装置とを備えることを特徴とする。
【００１４】
本発明に係るプログラムは、乳幼児及び該乳幼児を養育する育児者夫々の端末装置から、該乳幼児及び育児者に対して測定された生体情報、前記乳幼児及び育児者の位置に関する情報、動作情報及び時間情報を取得し、取得された情報をサーバへ出力し、前記サーバにより生体情報、位置に関する情報、及び動作情報に基づいて判定された育児項目と、該育児項目の実施に係る時間情報とを示す画面情報を取得し、取得された画面情報を表示装置へ出力する処理をコンピュータに実行させることを特徴とする。
【００１５】
本発明に係るプログラムは、前記サーバにより所定の期間内における育児項目ごとの時間情報の変化に基づいて判定されたストレス発生に係る情報を取得し、ストレス発生に係る報知を行う処理をコンピュータに実行させることを特徴とする。
【発明の効果】
【００１６】
本発明によれば、乳幼児及び育児者に対して測定された情報に基づいて、育児者により実施された育児項目を自動的に判定することで、育児者について育児項目の管理を支援することができる。
【図面の簡単な説明】
【００１７】
【図１】情報処理システムの構成例を示す模式図である。
【図２】リストバンドの構成例を示すブロック図である。
【図３】スマートウォッチの構成例を示すブロック図である。
【図４】スマートフォンの構成例を示すブロック図である。
【図５】情報処理装置の構成例を示すブロック図である。
【図６】受信情報ＤＢのレコードレイアウトの一例を示す説明図である。
【図７】基準ＤＢのレコードレイアウトの一例を示す説明図である。
【図８】育児生活ＤＢのレコードレイアウトの一例を示す説明図である
【図９】ストレスＤＢのレコードレイアウトの一例を示す説明図である。
【図１０】実施の形態１において制御部が実行する処理の手順の一例を示すフローチャートである。
【図１１】制御部が実行する育児項目判定処理の手順を示すフローチャートである。
【図１２】制御部が実行するストレス診断処理の手順を示すフローチャートである。
【図１３】実施の形態２において制御部が実行する処理の手順を示すフローチャートである
【図１４】スマートフォンの提示画面の例を示す模式図である。
【図１５】制御部が実行する画面情報作成処理の手順を示すフローチャートである。
【図１６】実施の形態３において制御部が実行する処理の手順を示すフローチャートである。
【発明を実施するための形態】
【００１８】
以下、本発明をその実施の形態を示す図面に基づいて詳述する。
（実施の形態１）
図１は、情報処理システムの構成例を示す模式図である。情報処理システムは、情報処理装置１、リストバンド２、スマートウォッチ３、及びスマートフォン４…を含む。
【００１９】
情報処理装置１は、例えばサーバコンピュータ、パーソナルコンピュータ等である。本実施の形態において情報処理装置１はサーバコンピュータとされ、サーバ１と読み替える。サーバ１は、種々の情報を記憶すると共に、ネットワークＮを介してスマートフォン４と通信可能である。ネットワークＮはインターネット、ＬＡＮ（Local Area Network）等である。
【００２０】
リストバンド２は、乳幼児が所持するウェアラブル端末装置であり、例えば乳幼児の腕に着けている。リストバンド２は、例えばＢｌｕｅｔｏｏｔｈ（登録商標）又はＷｉ−Ｆｉ（登録商標）等を介してスマートフォン４と通信可能である。リストバンド２は、乳幼児の体温及び心拍数等の生体情報と、動作情報、位置情報等を取得して、スマートフォン４に送信する。なお、リストバンド２の代わりに、衣服タイプのウェアラブル端末装置を使用してもよい。
【００２１】
スマートウォッチ３は、乳幼児を養育する育児者が所持するウェアラブル端末装置であり、例えば育児者の腕に着けている。スマートウォッチ３は、例えばＢｌｕｅｔｏｏｔｈ又はＷｉ−Ｆｉ等を介してスマートフォン４と通信可能である。スマートウォッチ３は、育児者の体温及び心拍数等の生体情報と、動作情報及び位置情報等を取得して、スマートフォン４に送信する。なお、スマートウォッチ３の代わりに、リストバンド型のウェアラブル端末を使用してもよい。
【００２２】
スマートフォン４は、育児者が所持する端末装置である。スマートフォン４は、サーバ１との送受信を行うとともに、リストバンド２及びスマートウォッチ３との送受信を行う。なお、スマートフォン４の代わりに、タブレット端末、パーソナルコンピュータを使用してもよい。
【００２３】
図２は、リストバンド２の構成例を示すブロック図である。リストバンド２は、制御部２１、記憶部２２、生体情報測定部２３、動作検出部２４、位置検出部２５、時計部２６、及び通信部２７を含む。
【００２４】
制御部２１はＣＰＵ又はＭＰＵ等の演算処理装置を含み、記憶部２２に記憶されたプログラムを読み出して実行することにより、リストバンド２に係る種々の情報処理又は制御処理等を行う。
【００２５】
記憶部２２はＲＡＭ、ＲＯＭ等のメモリ素子を含み、リストバンド２のＩＤ、及び制御部２１が処理を実行するために必要なプログラム、データ等を記憶している。また、記憶部２２は、制御部２１が演算処理を実行するために必要な情報等を一時的に記憶する。
【００２６】
生体情報測定部２３は、例えばバイタルセンサであり、乳幼児の体温、心拍、血圧等の生体情報を計測する。動作検出部２４は、例えば加速度センサであり、乳幼児の動作による加速度を動作情報として検出する。位置検出部２５は、例えばＧＰＳであり、乳幼児の現在地の位置情報を検出する。時計部２６は日付及び時刻の計測を行う。
【００２７】
通信部２７は、例えばＢｌｕｅｔｏｏｔｈ又はＷｉ−Ｆｉ等の近距離無線通信モジュールを備え、スマートフォン４との通信を行う。通信部２７は制御部２１の指示に応じて、生体情報測定部２３による生体情報、動作検出部２４による動作情報、位置検出部２５による位置情報、及び時計部２６による時間情報を、自装置のＩＤとともにスマートフォン４に送信する。
【００２８】
図３は、スマートウォッチ３の構成例を示すブロック図である。スマートウォッチ３は、制御部３１、記憶部３２、生体情報測定部３３、動作検出部３４、位置検出部３５、時計部３６、通信部３７、及び表示部３８を含む。
【００２９】
制御部３１はＣＰＵ又はＭＰＵ等の演算処理装置を含み、記憶部３２に記憶されたプログラムを読み出して実行することにより、スマートウォッチ３に係る種々の情報処理又は制御処理等を行う。
【００３０】
記憶部３２はＲＡＭ、ＲＯＭ等のメモリ素子を含み、スマートウォッチ３のＩＤ、及び制御部３１が処理を実行するために必要なプログラム、データ等を記憶している。また、記憶部３２は、制御部３１が演算処理を実行するために必要なデータ等を一時的に記憶する。
【００３１】
生体情報測定部３３は、例えばバイタルセンサであり、育児者の体温、心拍、血圧等の生体情報を計測する。動作検出部３４は、例えば加速度センサであり、育児者の動作による加速度を検出する。位置検出部３５は、例えばＧＰＳであり、育児者の現在地の位置情報を検出する。時計部３６は日付及び時刻の計測を行う。
【００３２】
通信部３７は、例えばＢｌｕｅｔｏｏｔｈ又はＷｉ−Ｆｉ等の近距離無線通信モジュールを備え、スマートフォン４との通信を行う。通信部３７は、制御部３１の指示に応じて、生体情報測定部３３による生体情報、動作検出部３４による動作情報、位置検出部３５による位置情報、及び時計部３６による時間情報を、自装置のＩＤとともにスマートフォン４に送信する。
【００３３】
表示部３８は、液晶ディスプレイ又は有機ＥＬ（Electro Luminescence）ディスプレイ等の画面を有し、制御部３１から与えられた画像を表示する。
【００３４】
図４は、スマートフォン４の構成例を示すブロック図である。スマートフォン４は、制御部４１、記憶部４２、表示部４３、受付部４４、時計部４５、及び通信部４６を含む。
【００３５】
制御部４１はＣＰＵ又はＭＰＵ等の演算処理装置を含み、記憶部４２に記憶されたプログラムＰ４を読み出して実行することにより、スマートフォン４に係る種々の情報処理又は制御処理等を行う。
【００３６】
記憶部４２はＲＡＭ、ＲＯＭ等のメモリ素子を含み、育児者のＩＤ、及び制御部４１が処理を実行するために必要なプログラムＰ４、データ等を記憶している。また、記憶部４２は、制御部４１が演算処理を実行するために必要なデータ等を一時的に記憶する。ここで、プログラムＰ４が記憶部４２に予め記憶されている例を説明したが、プログラム４は外部の装置からダウンロードしてもよい。
【００３７】
表示部４３は液晶ディスプレイ又は有機ＥＬディスプレイ等の画面を有し、制御部４１から与えられた画像を表示する。
受付部４４は表示部４３に設けられたタッチパネル又は押下式のボタン等であり、育児者による操作を受け付ける。受付部４４は、受け付けた操作情報を制御部４１に与える。時計部４５は日付及び時刻の計測を行い、計測した時間情報を制御部４１に与える。
【００３８】
通信部４６は、例えばＢｌｕｅｔｏｏｔｈ又はＷｉ−Ｆｉ等の近距離無線通信モジュールを備え、リストバンド２及びスマートウォッチ３との通信を行う。通信部４６は、リストバンド２及びスマートウォッチ３夫々からの生体情報、動作情報、位置情報及び時間情報（以下、「測定情報」と記す）と端末ＩＤとを受信する。受信された情報は例えば記憶部４２に記憶される。また、通信部４５はアンテナ及び通信処理回路等を含み、サーバ１との通信を行う。通信部４５は、受付部４４及び時計部４５により与えられた情報をサーバ１に送信する。また、通信部４６は、所定の時間おきに、リストバンド２及びスマートウォッチ３から送信された測定情報等を、育児者のＩＤとともにサーバ１に送信する。ここで、所定の時間は１時間とされるが、これに限らず、必要に応じて適宜に設定すればよい。なお、スマートフォン４は、サーバ１の送信要求に応じて測定情報等を送信するように構成されてもよい。
【００３９】
図５は、サーバ１の構成例を示すブロック図である。サーバ１は、制御部１１、記憶部１２、通信部１３、時計部１４、及び大容量記憶装置１５を含む。
【００４０】
制御部１１は、ＣＰＵ（Central Processing Unit）又はＭＰＵ（Micro-Processing   Unit）等の演算処理装置を含む。制御部１１は、記憶部１２に記憶されたプログラムＰ１を読み出して実行することにより、サーバ１に係る種々の情報処理又は制御処理等を行う。本実施の形態では、制御部１１は、育児者及び乳幼児に関する測定情報等をスマートフォン４から取得すると共に、これらの情報に基づいて、育児者により実施された育児項目を判定する処理、育児者のストレスを診断する処理、及びストレス発生の頻度を判定する処理等を行う。
【００４１】
記憶部１２は、ＲＡＭ（Random Access Memory）、ＲＯＭ（Read Only Memory）等のメモリ素子を含む。記憶部１２は、制御部１１が本実施の形態に係る処理を実行するために必要なプログラムＰ１、データ等を記憶している。また、記憶部１２は、制御部１１が演算処理を実行するために必要なデータ等を一時的に記憶する。
【００４２】
通信部１３は通信に関する処理を行うための処理回路等を含み、スマートフォン４と情報の送受信を行う。時計部１４は時刻の計測を行い、計測した時刻を制御部１１に通知する。
【００４３】
大容量記憶装置１５は、例えばハードディスク等を含む大容量の記憶装置である。大容量記憶装置１５は、受信情報ＤＢ１５１、基準ＤＢ１５２、育児生活ＤＢ１５３、ストレスＤＢ１５４等を記憶している。受信情報ＤＢ１５１は、受信されたスマートフォン４からの情報を記憶する。具体的には、日時、育児者のＩＤ、乳幼児及び育児者夫々の体温、心拍数、動作情報、及び位置情報等を記憶する。基準ＤＢ１５２は、育児項目を判定するための基準情報が記憶してある。具体的には、初期登録された乳幼児及び育児者夫々の端末ＩＤ、平熱、正常の心拍数、及び母子手帳に係る情報等が記憶してある。ここで、母子手帳に係る情報は、例えば出産記録、育児記録、健康記録及びかかりつけ病院又は自治体等の情報を含む。育児生活ＤＢ１５３はストレスを診断するための育児生活情報を記憶する。具体的には、育児者のＩＤ、日時、育児者の生体情報、及び育児項目の判定結果等を記憶する。ストレスＤＢ１５４は、ストレス発生の頻度を判定するためのストレス情報を記憶する。具体的には、育児者のＩＤ、日付、ストレスの診断結果等を記憶する。
【００４４】
なお、本実施の形態において記憶部１２及び大容量記憶装置１５は一体の記憶装置として構成されていてもよい。また、大容量記憶装置１５は複数の記憶装置により構成されていてもよい。また、大容量記憶装置１５はサーバ１に接続された外部記憶装置であってもよい。
【００４５】
また、本実施の形態においてサーバ１は上記の構成に限られず、例えば操作入力を受け付ける受付部、サーバ１に係る情報を表示する表示部、可搬型記憶媒体に記憶された情報を読み取る読取部等を含んでもよい。
【００４６】
以下、サーバ１の動作について説明する。サーバ１では、通信部１３にて、スマートフォン４からの育児者ＩＤと、端末ＩＤと、端末ＩＤに対応付けた測定情報とを受信し、制御部１１は、端末ＩＤによって、乳幼児及び育児者夫々に関する測定情報を識別して、育児者ＩＤに対応付けて受信情報ＤＢ１５１に記憶する。
【００４７】
図６は受信情報ＤＢ１５１のレコードレイアウトの一例を示す説明図である。受信情報ＤＢ１５１は、ＩＤ列、所属列、体温列、心拍数列、加速度列、位置列を含む。ＩＤ列は、ｕ１、ｕ２、ｕ３…等の育児者のＩＤを記憶している。所属列は、育児者又は乳幼児を示す初期登録の氏名又は端末ＩＤを記憶している。日時列は、測定情報の測定日時を記憶している。体温列は、ＩＤ及び日時と対応付けて、育児者又は乳幼児の体温を記憶している。心拍数列は、ＩＤ及び日時と対応付けて、育児者又は乳幼児の心拍数を記憶している。加速度列は、ＩＤ及び日時と対応付けて、育児者又は乳幼児の３軸加速度データを記憶している。位置列は、ＩＤ、日時と対応付けて、育児者又は乳幼児のＧＰＳデータを記憶している。
【００４８】
制御部１１は、所定の時間おきに、受信情報ＤＢ１５１及び基準ＤＢ１５２に記憶されている情報に基づいて、育児者により実施された育児項目を判定する。ここで、所定の時間は２４時間とされるが、これに限らず、必要に応じて適宜に設定すればよい。
【００４９】
図７は、基準ＤＢ１５２のレコードレイアウトの一例を示す説明図である。基準ＤＢ１５２は、ＩＤ列、端末ＩＤ列、体温列、心拍数列、生年月日列、身長列、体重列、及び母子手帳列を含む。ＩＤ列は、育児者のＩＤを記憶している。端末ＩＤ列は、ｕ１Ａ、ｕ１Ｂ等の育児者及び乳幼児夫々の端末装置のＩＤを記憶している。体温列は、端末ＩＤと対応付けて、育児者又は乳幼児の平熱を記憶している。心拍数列は、端末ＩＤと対応付けて、育児者又は乳幼児の通常の心拍数を記憶している。生年月日列は、端末ＩＤと対応付けて、育児者又は乳幼児の生年月日を記憶している。身長列は、端末ＩＤと対応付けて、育児者又は乳幼児の身長を記憶している。体重列は、端末ＩＤと対応付けて、育児者又は乳幼児の体重を記憶している。母子手帳列は、端末ＩＤと対応付けて、育児者又は乳幼児のかかりつけの病院等の母子手帳に係る情報を記憶している。なお、図示しないが、基準ＤＢ１５２には、後述する各種の基準情報が記憶されている。
【００５０】
以下、育児項目が授乳及び睡眠である場合を例として、育児者により実施された育児項目を判定する処理について説明する。
【００５１】
制御部１１は、受信情報ＤＢ１５１に記憶されている育児者及び乳幼児夫々の位置情報に基づいて、両者の距離を算出し、算出した距離を基準距離と比較することで、両者が近接しているか否かを判定する。ここで、基準距離は、予め設定された通常授乳時の育児者及び乳幼児の距離であり、基準ＤＢ１５２に記憶されておく。
【００５２】
制御部１１は、受信情報ＤＢ１５１に記憶されている乳幼児の動作情報を基準ＤＢにおける基準動作情報と比較することで、乳幼児の動作が微動であるか否かを判定する。ここで、基準動作情報は、予め設定された微動時の動き幅を示す情報であり、基準ＤＢ１５２に記憶されておく。
【００５３】
また、制御部１１は、受信情報ＤＢ１５１に記憶されている育児者及び乳幼児夫々の体温を基準体温と比較することで、夫々の体温が高いか否かを判定する。ここで、基準体温は、育児者及び乳幼児夫々の平熱であり、基準ＤＢ１５２に記憶されておく。
【００５４】
制御部１１は、受信情報ＤＢ１５１に記憶されている育児者及び乳幼児夫々の心拍数を基準心拍数と比較することで、夫々の心拍数が高いか否かを判定する。ここで、基準心拍数は、育児者及び乳幼児夫々の正常の心拍数であり、基準ＤＢ１５２に記憶されておく。
【００５５】
制御部１１は、育児者及び乳幼児が近接しており、両者の体温が高く、かつ乳幼児の動作が微動である場合に、実施された育児項目が授乳であると判定する。なお、基準ＤＢに通常の授乳の時間帯を予め記憶し、判定時に、記憶された時間帯及び受信情報ＤＢにおける日時をも考慮するように構成してもよい。
【００５６】
睡眠の判定について、制御部１１は、育児者及び乳幼児の体温が高く、乳幼児の動作が微動であり、心拍数が低い場合に、実施された育児項目が睡眠であると判定する。なお、基準ＤＢに通常の睡眠の時間帯を予め記憶し、判定時に、記憶された時間帯及び受信情報ＤＢにおける日時情報をも考慮するように構成してもよい。
【００５７】
なお、本実施の形態では、育児項目は授乳及び睡眠とされるが、これらに限らず、おむつ交換等を含んでもよい。例えば、におい又は電気抵抗の変化によっておむつ交換を検知するセンサを乳幼児のおむつに装着し、該センサの検知結果に基づいて、実施された育児項目がおむつ交換であると判定することができる。
【００５８】
制御部１１は、育児項目の判定結果を育児生活ＤＢ１５３に記憶する。なお、制御部１１は、測定情報に異常がある場合、又は、測定情報に基づいて育児項目を判定することができない場合に、通信部１３を介してスマートフォン４にその旨を報知してもよい。
【００５９】
また、制御部１１は、受信情報ＤＢ１５１から異なる時刻に測定された育児者の体温及び心拍数を抽出して育児生活ＤＢ１５３に記憶する。ここで、記憶すべき情報は１時間おきに測定された体温及び心拍数とされるが、これに限らず、１時間当たりの体温の平均値及び心拍数の平均値を算出して記憶してもよく、受信情報ＤＢ１５１から育児者の体温及び心拍数をランダムに抽出して記憶してもよい。
【００６０】
図８は、育児生活ＤＢ１５３のレコードレイアウトの一例を示す説明図である。育児生活ＤＢ１５３は、ＩＤ列、日時列、体温列、心拍数列、育児項目列、時間列を含む。ＩＤ列は、育児者のＩＤを記憶している。日時列は、生体情報の測定日時、又は育児項目が実施された日時を記憶している。体温列は、ＩＤ及び日時と対応付けて、育児者の体温を記憶している。心拍数列は、ＩＤ及び日時と対応付けて、育児者の心拍数を記憶している。育児項目列は、ＩＤ及び日時と対応付けて、当該日時に実施された生活項目を記憶している。制御部１１は前述した処理により判断した育児項目の種類を日時に対応付けて育児項目列に記憶する。時間列は、ＩＤ、日時及び育児項目と対応付けて、育児項目が実施された時間を記憶している。なお、図示しないが、育児生活ＤＢ１５３には、日時、ＩＤと対応付けて、育児者自身の睡眠時刻及び睡眠時間等を記憶している。
【００６１】
また、サーバ１では、制御部１１は、所定の時間おきに、ストレスの有無についての回答要求をスマートフォン４に送信するとともに、育児生活ＤＢ１５３に記憶されている情報に基づいて、育児者のストレスを診断する。ここで、所定の時間は、一週間とされるが、これに限らず、必要に応じて任意に設定すればよい。
【００６２】
スマートフォン４は、回答要求を受信した場合に、例えば、「ストレスがたまっていませんか」というメッセージと、「有」及び「無」という回答用の選択肢とを含む回答用画面を表示部４３に表示させる。スマートフォン４は、育児者により選択された「有」又は「無」に係る回答情報を受け付けると、その回答情報を育児者ＩＤ及び受付日時とともにサーバ１に送信する。
【００６３】
以下、育児者のストレスを診断する処理について説明する。診断すべき項目は、生活リズムの乱れ、睡眠状態、及び平均心拍数を含む。生活リズムの乱れは、例えば、一週間内の授乳時間帯又は睡眠時間帯の乱れに基づいて判定する。例えば、育児生活ＤＢ１５３に記憶されている授乳時刻及び授乳時間から各回の授乳の時間帯を統計し、毎日の授乳時間帯のばらつきが一定の程度以上になると、授乳時間帯の乱れが存在すると判定する。ここで、判定の基準は乳幼児の年齢又は月齢、通常の授乳時間帯等によって適宜に設定すればよい。また、育児生活ＤＢ１５３に記憶されている睡眠時刻及び睡眠時間から各回の睡眠の時間帯を統計し、毎日の睡眠時間帯のばらつきが一定の程度以上になると、睡眠時間帯の乱れが存在すると判定する。ここで、判定の基準は、育児者の年齢、乳幼児の年齢又は月齢、健康状況、通常の睡眠時間帯等によって適宜に設定すればよい。
【００６４】
睡眠状態は、例えば、睡眠時の心拍数のばらつきに基づいて判定する。例えば、心拍数のばらつきが一定の程度以下になると、睡眠状態が深いと判定するが、心拍数のばらつきが一定程度を超えると、睡眠状態が浅いと判定する。ここで、判定の基準は、育児者の年齢、性別、正常の心拍数等によって適宜に設定すればよい。
【００６５】
平均心拍数は、育児生活ＤＢ１５３に記憶された心拍数から算出する。制御部１１は、例えば、一週間内に記憶された全ての心拍数から平均心拍数を算出し、算出された平均心拍数と基準心拍数とを比較することで、平均心拍数が高いか否かを判定する。
【００６６】
診断結果はポイント形式でストレスＤＢ１５４に記憶される。図９は、ストレスＤＢ１５４のレコードレイアウトの一例を示す説明図である。ストレスＤＢ１５４は、ＩＤ列、日付列、時差ポイント列、不眠ポイント列、心拍ポイント列、診断合計列、回答ポイント列、ストレス合計列を記憶している。ＩＤ列は、育児者のＩＤを記憶している。日付列は、ＩＤと対応付けて、判定対象となる週間の日付を記憶している。
【００６７】
時差ポイント列は、ＩＤ及び日付と対応付けて、当該週間において生活リズムの乱れが存在するか否かをポイント形式で記憶している。例えば時差ポイント列は、当該週間において睡眠時間帯又は授乳時間帯の乱れが存在すると判定された場合は「１」を、存在しないと判定された場合は「０」を記憶している。
【００６８】
不眠ポイント列は、ＩＤ及び日付と対応付けて、当該週間の睡眠状態をポイント形式で記憶している。例えば不眠ポイント列は、当該週間において睡眠状態が浅いと判定された回数が判定回数全体の半分以上となった場合は「１」を、半分未満の場合は「０」を記憶している。
【００６９】
心拍ポイント列は、ＩＤ及び日付と対応付けて、当該週間において心拍数が高いか否かをポイント形式で記憶している。例えば心拍ポイント列は、当該週間において平均心拍数が高いと判定された場合は「１」を、高いと判定されていない場合は「０」を記憶している。
【００７０】
診断合計列は、時差ポイント、不眠ポイント、及び心拍ポイントの合計値を記憶している。回答ポイント列は、ＩＤ及び日付と対応付けて、当該週間においてスマートフォン４が受け付けた回答情報をポイント形式で記憶している。例えば回答ポイント列は、当該週間においてスマートフォン４が「有」という回答を受け付けた場合は「１」を、受け付けていない場合は「０」を記憶している。
【００７１】
ストレス合計列は、診断合計及び回答ポイントの合計値を記憶している。制御部１１は、ストレス合計列のポイントに基づいてストレス発生の有無を判定し、通信部１３を介して、その旨をスマートフォン４に報知する。例えば、制御部１１はポイントが「３」以上になった場合に、当該週間にストレスが発生したと判定する。また、制御部１１は診断合計列のポイントに基づいてストレス発生の有無を判定してもよい。スマートフォン４はサーバ１の報知に応じて、表示部４３に注意情報等を表示させることで、育児者への注意喚起を行う。また、スマートフォン４は、スマートウォッチ３に注意喚起用の信号を送信し、スマートウォッチ３の表示部３８に注意情報等を表示させてもよい。
【００７２】
また、サーバ１では、制御部１１は、所定の時間おきに、ストレスＤＢ１５４に記憶されている情報に基づいて、育児者のストレス発生の頻度を判定する。ここで、所定の時間は、一ヶ月とするが、これに限らず、必要に応じて任意に設定すればよい。
【００７３】
以下、ストレス発生の頻度を判定する処理について説明する。制御部１１は、一ヶ月内にストレス合計が所定値以上になった回数に基づいて判定する。例えば、ストレス合計が「３」である回数が２回以上あると判定した場合、ストレスの発生頻度が高いと判定する。ここで、所定値は「３」とされるが、これに限らず、「３」以外の値であってもよい。回数は「２」とされるが、これに限らず、「２」以外の値であってもよい。
【００７４】
ストレスの発生頻度が高いと判定した場合、制御部１１は、母子手帳に係る情報に基づいて、かかりつけ病院又は自治体等に対して報知を行う。また、制御部１１は、ストレスの診断結果を母子手帳に係る情報に反映させ、報知時に母子手帳に係る情報を病院又は自治体等に送信してもよい。なお、ストレスの発生頻度が高いと判定した場合、制御部１１は、その旨をスマートフォン４に報知してもよい。
【００７５】
さらに、サーバ１では、ストレスＤＢ１５４に記憶されている情報に基づいて、ＳＮＳ（Social Networking Service）に係るコミュニティを形成してもよい。例えば、制御部１１は、ストレスＤＢ１５４に記憶されている情報に基づき、育児者の属性を決定し、決定した属性に応じて育児者が属するＳＮＳのコミュニティを決定する。制御部１１は、いずれの項目についてストレスが発生しやすいのかに応じて、項目を示す「睡眠」「授乳」等の各コミュニティに育児者を割り当てる。これにより、同一属性の育児者が各コミュニティに属することになる。なお、制御部１１はコミュニティに属する育児者だけでなく、病院又は自治体等に対してもＳＮＳ画面を出力してもよい。これにより、育児者の属性に応じたＳＮＳのコミュニティが形成され、育児者同士で意見交換、相談等をすることができる。
【００７６】
図１０は、実施の形態１において制御部１１、４１が実行する処理の手順の一例を示すフローチャートである。
スマートフォン４では、制御部４１は、リストバンド２及びスマートウォッチ３から測定情報等を取得し（ステップＳ１０１）、取得した測定情報等を１時間おきにサーバ１へ送信する（ステップＳ１０２）。
【００７７】
サーバ１では、制御部１１は、スマートフォン４からの測定情報を受信したか否かを判定する（ステップＳ１）。受信したと判定した場合（ステップＳ１：ＹＥＳ）、制御部１１は、受信した情報を受信情報ＤＢ１５１に記憶する（ステップＳ２）。
【００７８】
制御部１１は、時計部１４を参照して、２４時間が経過したか否かを判定する（ステップＳ３）。２４時間が経過したと判定した場合（ステップＳ３：ＹＥＳ）、制御部１１は、受信情報ＤＢ１５１に記憶されている測定情報に基づいて、後述する育児項目判定処理を行い（ステップＳ４）、判定結果及び育児者の生体情報を育児生活ＤＢ１５３に記憶する（ステップＳ５）。
【００７９】
制御部１１は、時計部１４を参照して、一週間が経過したか否かを判定する（ステップＳ６）。一週間が経過したと判定した場合（ステップＳ６：ＹＥＳ）、制御部１１はスマートフォン４に回答要求を送信し（ステップＳ７）、育児生活ＤＢ１５３に記憶されている情報に基づいて、後述するストレス診断処理を行う（ステップＳ８）。
【００８０】
スマートフォン４では、制御部４１は、サーバ１からの回答要求を受信し（ステップＳ１０３）、表示部４３に回答用画面を表示させる（ステップＳ１０４）。育児者が回答を選択した場合、制御部１１は受付部４４を介して回答を受け付け（ステップＳ１０５）、サーバ１に送信する（ステップＳ１０６）。
【００８１】
制御部１１は、ステップＳ８の診断結果及びスマートフォン４からの回答結果をポイントの形式でストレスＤＢ１５４に記憶する（ステップＳ９）。制御部１１は、ストレスＤＢ１５４に記憶されている情報に基づいて、ストレスが発生したか否かを判定する（ステップＳ１０）。ストレスが発生したと判定した場合（ステップＳ１０：ＹＥＳ）、制御部１１はその旨をスマートフォン４に報知する(ステップＳ１１)。
【００８２】
スマートフォン４では、制御部４１は、サーバ１からの報知情報を受信し（ステップＳ１０７）、報知画面を表示部４３に表示させ（ステップＳ１０８）、処理を終了する。
【００８３】
サーバ１では、ストレスが発生していないと判定した場合（ステップＳ１０：ＮＯ）、制御部１１は、時計部１４を参照して、一ヶ月が経過したか否かを判定する（ステップＳ１２）。一ヶ月が経過したと判定した場合（ステップＳ１２：ＹＥＳ）、制御部１１は、ストレスＤＢ１５４に記憶されている情報に基づいて、ストレス発生の頻度が高いか否かを判定する（ステップＳ１３）。
【００８４】
ストレス発生の頻度が高くないと判定した場合（ステップＳ１３：ＮＯ）、制御部１１は処理を終了する。ストレス発生の頻度が高いと判定した場合（ステップＳ１３：ＹＥＳ）、制御部１１は、その旨を報知し（ステップＳ１４）、処理を終了する。
【００８５】
制御部１１は、スマートフォン４からの測定情報を受信していないと判定した場合（ステップＳ１：ＮＯ）、２４時間が経過していないと判定した場合（ステップＳ３：ＮＯ）、一週間が経過していないと判定した場合（ステップＳ６：ＮＯ）、又は一ヶ月が経過していないと判定した場合（ステップＳ１２：ＮＯ）に、処理をステップＳ１に戻す。
【００８６】
図１１は、制御部１１が実行する育児項目判定処理の手順を示すフローチャートである。制御部１１は、受信情報ＤＢ１５１から測定情報を読み出し（ステップＳ４０１）、乳幼児の体温が高いか否かを判定する（ステップＳ４０２）。乳幼児の体温が高いと判定した場合（ステップＳ４０２：ＹＥＳ）、制御部１１は育児者の体温が高いか否かを判定する（ステップＳ４０３）。
【００８７】
育児者の体温が高いと判定した場合（ステップＳ４０３：ＹＥＳ）、制御部１１は乳幼児の動作が微動であるか否かを判定する（ステップＳ４０４）。乳幼児の動作が微動であると判定した場合（ステップＳ４０４：ＹＥＳ）、制御部１１は乳幼児の心拍数が低いか否かを判定する（ステップＳ４０５）。乳幼児の心拍数が低いと判定した場合（ステップＳ４０５：ＹＥＳ）、制御部１１は、実施された育児項目が睡眠であると判定する（ステップＳ４０６）。制御部１１は、測定情報全体に対する判定が済んだか否かを判定し（ステップＳ４０７）、測定情報全体に対する判定が済んだと判定した場合（ステップＳ４０７：ＹＥＳ）、制御部１１は育児項目判定処理を終了する。
【００８８】
乳幼児の心拍数が低くないと判定した場合（ステップＳ４０５：ＮＯ）、制御部１１は、乳幼児及び育児者が近接しているか否かを判定し（ステップＳ４０８）、近接していると判定した場合（ステップＳ４０８：ＹＥＳ）、実施された育児項目が授乳であると判定し（ステップＳ４０９）、処理をステップＳ４０７へ移す。
【００８９】
乳幼児の体温が高くないと判定した場合（ステップＳ４０２：ＮＯ）、育児者の体温が高くないと判定した場合（ステップＳ４０３：ＮＯ）、乳幼児の動作が微動ではないと判定した場合（ステップＳ４０４：ＮＯ）、乳幼児及び育児者が近接していないと判定した場合（ステップＳ４０８：ＮＯ）、又は測定情報全体に対する判定が済んでいないと判定した場合（ステップＳ４０７：ＮＯ）、制御部１１は処理をステップＳ１に戻す。
【００９０】
図１２は、制御部１１が実行するストレス診断処理の手順を示すフローチャートである。制御部１１は、育児生活ＤＢ１５３から授乳及び睡眠夫々に対応する日時を読み出し（ステップＳ８０１）、授乳及び睡眠夫々の時間帯を統計し（ステップＳ８０２）、授乳又は睡眠の時間帯の乱れが存在するか否かを判定する（ステップＳ８０３）。
【００９１】
制御部１１は、授乳又は睡眠の時間帯の乱れが存在すると判定した場合（ステップＳ８０３：ＹＥＳ）、時差ポイントを「１」とする（ステップＳ８０４）が、授乳又は睡眠の時間帯の乱れが存在しないと判定した場合（ステップＳ８０３：ＮＯ）、時差ポイントを「０」とする（ステップＳ８０５）。
【００９２】
制御部１１は、育児生活ＤＢ１５３から、育児者の睡眠時の心拍数を読み出し（ステップＳ８０６）、睡眠状態が浅いか否かを判定する（ステップＳ８０７）。制御部１１は、睡眠状態が浅いと判定した場合（ステップＳ８０７：ＹＥＳ）、不眠ポイントを「１」とする（ステップＳ８０８）が、睡眠状態が浅くないと判定した場合（ステップＳ８０７：ＮＯ）、不眠ポイントを「０」とする（ステップＳ８０９）。
【００９３】
制御部１１は、育児生活ＤＢ１５３に記憶されている心拍数に基づいて平均心拍数を算出し（ステップＳ８１０）、平均心拍数が高いか否かを判定する（ステップＳ８１１）。制御部１１は、平均心拍数が高いと判定した場合（ステップＳ８１１：ＹＥＳ）、心拍ポイントを「１」とする（ステップＳ８１２）が、平均心拍数が高くないと判定した場合（ステップＳ８１１：ＮＯ）、心拍ポイントを「０」とする（ステップＳ８１３）。次いで、制御部１１は処理を終了する。
【００９４】
本実施の形態では、乳幼児及び育児者夫々に関する測定情報に基づいて育児項目を判定し、育児者の生体情報及び育児項目の実施状況を記憶することで、育児者により実施された育児項目を自動的に管理することができる。これにより、育児者について育児項目の管理を支援することができる。
【００９５】
また、本実施の形態では、育児者の生体情報及び育児項目の実施状況に基づいて、育児者のストレスを診断することで、育児者の健康状況を監視することができる。
【００９６】
（実施の形態２）
実施の形態２では、サーバ１は、さらに、育児生活ＤＢ１５３に記憶されている情報に基づいて育児生活についての提示を行う。実施の形態２では、実施の形態１と重複する内容について説明を省略する。
【００９７】
図１３は、実施の形態２において制御部１１、４１が実行する処理の手順を示すフローチャートである。
スマートフォン４では、制御部４１は、リストバンド２及びスマートウォッチ３から、測定情報等を取得し（ステップＳ２０１）、取得した測定情報等を１時間おきにサーバ１へ送信する（ステップＳ２０２）。
【００９８】
サーバ１では、制御部１１は、スマートフォン４からの測定情報を受信したか否かを判定する（ステップＳ２１）。受信していないと判定した場合（ステップＳ２１：ＮＯ）、制御部１１は処理をステップＳ２１に戻す。受信したと判定した場合（ステップＳ２１：ＹＥＳ）、制御部１１は、受信した情報を受信情報ＤＢ１５１に記憶する（ステップＳ２２）。
【００９９】
制御部１１は、時計部１４を参照して、２４時間が経過したか否かを判定する（ステップＳ２３）。２４時間が経過していないと判定した場合（ステップＳ２３：ＮＯ）、制御部１１は処理をステップＳ２１に戻す。２４時間が経過したと判定した場合（ステップＳ２３：ＹＥＳ）、制御部１１は、受信情報ＤＢ１５１に記憶されている測定情報に基づいて、実施された育児項目を判定し（ステップＳ２４）、判定結果及び育児者の生体情報を育児生活ＤＢ１５３に記憶する（ステップＳ２５）。
【０１００】
制御部１１は、育児生活ＤＢ１５３に記憶されている情報に基づいて、育児者の体温、心拍数、授乳時間、睡眠時間の少なく１つの経時変化を示す画面情報を生成する（ステップＳ２６）。ここで、画面情報は、例えばグラフ形式、又は表形式等で生体情報又は育児項目の実施状況の経時変化を表示するための情報である。
【０１０１】
制御部１１は、生成した画面情報をスマートフォン４に送信し（ステップＳ２７）、処理を終了する。スマートフォン４では、制御部４１は、画面情報を受信し（ステップＳ２０３）、表示部４３に提示画面を表示させ（ステップＳ２０４）、処理を終了する。
【０１０２】
図１４は、スマートフォン４の提示画面の例を示す模式図である。図１４に示すように、提示画面には、授乳、睡眠、体温、及び心拍のアイコンが表示されている。図１４には、柱グラフの形式で授乳の実施状況の経時変化が示されており、横軸が時刻、縦軸が時間を示している。
【０１０３】
また、スマートフォン４は、受信した画面情報をスマートウォッチ３に送信して表示部３８に表示させてもよい。なお、制御部１１は、ステップＳ２５にて生成した画面情報を病院又は自治体に送信してもよい。
【０１０４】
なお、本実施の形態では、ステップＳ２６にて育児者の体温、心拍数、授乳時間、睡眠時間の少なく１つの経時変化を示す画面情報を生成する例を説明したが、ステップ２６では以下の画面情報作成処理を実行して授乳量を示す画面情報を作成しもよい。
【０１０５】
図１５は、制御部１１が実行する画面情報作成処理の手順を示すフローチャートである。制御部１１は、育児生活ＤＢ１５３の時間列から各回の授乳時間を読み出し（ステップＳ２６１）、予め記憶された授乳時間と授乳量との関係に基づいて各回の授乳量を推定する（ステップＳ２６２）。ここで、授乳量と授乳時間との関係は、授乳量が授乳時間の増加に伴って直線的に上昇すると予め設定されているが、授乳量が授乳時間の増加に伴って曲線的に上昇すると設定してもよい。次いで、制御部１１は推定した授乳量の経時変化をグラフ形式又は表形式等で示す画面情報を作成する（ステップＳ２６３）。作成された画面情報はスマートフォン４に送信される。スマートフォン４では、受信した画面情報に基づいて、表示部４３に授乳量の経時変化を示す提示画面を表示させる。例えば、図１４に示す柱グラフでは、柱の太さで授乳量を示しており、授乳量が多い場合に柱が太いが、授乳量が少ない場合に柱が細い。
【０１０６】
本実施の形態では、育児生活ＤＢ１５３に記憶されている情報に基づいて画面情報を生成し、育児生活に係る画面を育児者に提示することで、育児者に自身の健康状況及び育児項目の実施状況を容易に把握させることができる。また、授乳時間によって乳幼児に対する授乳量を推定し、推定した授乳量に係る画面を育児者に提示することで、育児者に乳幼児の食事状況を容易に把握させることができる。
【０１０７】
（実施の形態３）
実施の形態３では、サーバ１は、さらに、育児生活ＤＢ１５３に記憶されている情報に基づいて異常の報知を行う。実施の形態３では、実施の形態１と重複する内容について説明を省略する。
【０１０８】
図１６は、実施の形態３において制御部１１が実行する処理の手順を示すフローチャートである。制御部１１は、スマートフォン４からの測定情報を受信したか否かを判定する（ステップＳ３１）。受信していないと判定した場合（ステップＳ３１：ＮＯ）、制御部１１は処理をステップＳ３１に戻す。受信したと判定した場合（ステップＳ３１：ＹＥＳ）、制御部１１は、受信した情報を受信情報ＤＢ１５１に記憶する（ステップＳ３２）。
【０１０９】
制御部１１は、時計部１４を参照して、２４時間が経過したか否かを判定する（ステップＳ３３）。２４時間が経過していないと判定した場合（ステップＳ３３：ＮＯ）、制御部１１は処理をステップＳ３１に戻す。２４時間が経過したと判定した場合（ステップＳ３３：ＹＥＳ）、制御部１１は、受信情報ＤＢ１５１に記憶されている測定情報に基づいて、実施された育児項目を判定し（ステップＳ３４）、判定結果及び育児者の生体情報を育児生活ＤＢ１５３に記憶する（ステップＳ３５）。
【０１１０】
制御部１１は、育児生活ＤＢ１５３に記憶されている情報のうち、現時点から２４時間以内の日時に対応する育児項目列の情報を特定し、これらの情報に授乳の記録があるか否かを判定する（ステップＳ３６）。授乳の記録があると判定した場合（ステップＳ３６：ＹＥＳ）、制御部１１は、処理を終了する。
【０１１１】
授乳の記録がないと判定された場合（ステップＳ３６：ＮＯ）、制御部１１は、母子手帳に係る情報に基づいて、その旨を病院又は自治体に報知し（ステップＳ３７）、処理を終了する。
【０１１２】
本実施の形態では、育児項目を管理し、異常時に報知することで、異常時の注意喚起を行うことができる。
【０１１３】
以上の実施の形態では、リストバンド２及びスマートウォッチ３がスマートフォン４を経由してサーバ１へ送信する場合について説明したが、サーバ１と通信可能な通信モジュールをスマートウォッチ３に設け、スマートフォン４の処理をスマートウォッチ３により実行してもよい。
【０１１４】
以上の実施の形態では、位置に関する情報として、リストバンド２及びスマートウォッチ３のＧＰＳデータを使用する例を示したが、これに限らず、例えば、リストバンド２及びスマートウォッチ３に、近接している場合のみに通信可能な通信部を設け、通信部の通信信号の有無に基づいて、乳幼児及び育児者が近接しているか否かを判定してもよい。
【０１１５】
また、Ｂｌｕｅｔｏｏｔｈで通信可能なリストバンド２とスマートウォッチ３とのペアリングを行い、スマートウォッチ３から、スマートフォン４を介して、リストバンド２との通信の電波強度に係る情報を位置に関する情報としてサーバ１に送信し、サーバ１により電波強度に係る情報に基づいて乳幼児及び育児者が近接しているか否かを判定してもよい。
【０１１６】
さらに、スマートフォン４により位置情報に基づいてリストバンド２とスマートウォッチ３との距離を算出し、位置に関する情報として距離情報をサーバ１に送信してもよい。スマートウォッチ３によりリストバンド２との距離を算出し、スマートフォン４を介して、距離情報をサーバ１に送信してもよい。スマートフォン４は距離が所定距離以下、又は電波強度が所定強度以上になった場合、近接していることを示す情報を位置に関する情報としてサーバ１に送信してもよい。
【０１１７】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０１１８】
１  サーバ
１１  制御部（項目判定部、ストレス判定部、授乳判定部、生成部、算出部、推定部、作成部）
１２  記憶部
１３  通信部（受信部、報知部、出力部、通知部）
１４  時計部
１５  大容量記憶装置
２  リストバンド（測定装置）
３  スマートウォッチ（測定装置）
４  スマートフォン
【図１】
2018061769.tif 000003
【図２】
2018061769.tif 000004
【図３】
2018061769.tif 000005
【図４】
2018061769.tif 000006
【図５】
2018061769.tif 000007
【図６】
2018061769.tif 000008
【図７】
2018061769.tif 000009
【図８】
2018061769.tif 000010
【図９】
2018061769.tif 000011
【図１０】
2018061769.tif 000012
【図１１】
2018061769.tif 000013
【図１２】
2018061769.tif 000014
【図１３】
2018061769.tif 000015
【図１４】
2018061769.tif 000016
【図１５】
2018061769.tif 000017
【図１６】
2018061769.tif 000018